(57)【要約】【課題】貝類等の付着、繁殖することがない貝類付着防止具並びにこの防止具を用いた貝類付着防止方法を提供すること。貝類付着防止具、及び、海、湖、川における設置物における生物忌避剤の効果が持続されるように工夫した貝類付着防止具を提供すること。【解決手段】生物忌避剤処理が施された貝類付着防止具とりわけ生物忌避剤が基材材料中に配合された貝類付着防止具を提供し、また、摩耗し易い材料によって形成された貝類付着防止具を提供する。更に、生物忌避剤処理が施された貝類付着防止具を、海等の設置物に取り付ける貝類付着防止方法を提供する。【選択図】  図３
2004293155.tif 000002
【特許請求の範囲】
【請求項１】
海、湖、川のいずれかにおける設置物に取り付けられ、該設置物の表面に付着する貝類を削ぎ落とすための浮力体であって、該浮力体に生物忌避剤処理が施されたことを特徴とする貝類付着防止具。
【請求項２】
前記生物忌避剤は、前記貝類付着防止具の基材材料成分中に配合されていることを特徴とする請求項１に記載の貝類付着防止具。
【請求項３】
前記設置物よりも摩耗し易い形状や材料によって形成されたことを特徴とする請求項２に記載の貝類付着防止具。
【請求項４】
前記生物忌避剤は、天然物由来の物質からなることを特徴とする請求項１から３のいずれか一項に記載の貝類付着防止具。
【請求項５】
前記設置物は、海産物養殖用又は水産物養殖用の支柱であることを特徴とする請求項４記載の貝類付着防止具。
【請求項６】
設置物の表面に付着する貝類を削ぎ落とす浮力体に生物忌避剤処理が施されてなる貝類付着防止具を、設置物に取り付けることを特徴とする貝類付着防止方法。
【請求項７】
前記設置物は、生物忌避剤処理がなされていることを特徴とする請求項６に記載の貝類付着防止方法。
【請求項８】
前記生物忌避剤は、天然物由来の物質からなることを特徴とする請求項６又は７に記載の貝類付着防止方法。
【発明の詳細な説明】
【０００１】
【発明の属する技術分野】
本発明は、海、湖、川に様々な目的で立設又は配設される支柱、杭、縄等の設置物に貝類等の水生生物が付着し、繁殖するのを防止するための貝類付着防止具に関する。より詳細には、水面付近や水面下に設置される支柱その他の棒状体や縄等の設置物に対して遊嵌状態に取り付けられ、前記設置物の表面に付着する貝類等を削ぎ落とす機能を発揮する貝類付着防止具に関する。
【０００２】
【従来の技術】
海産物養殖や水産物養殖等の漁業に用いたり、船舶が停泊する際に用いたりする等の目的で、支柱、杭、縄等の多くの設置物が水面付近や水面下に設置されている。これらの「設置物」は、長時間、水に浸っているため、フジツボ等の貝類やカサネカンザシ等の水生生物が、設置物の表面に付着し、繁殖してしまう場合が多い。設置物の表面に貝類等の水生生物が繁殖してしまうと、設置物の機能が損なわれ、漁業などに支障をきたすことが多い。
【０００３】
例えば、海苔の養殖においては、養殖用杭を養殖期間中にのみ設置するのが通常であるが、養殖用杭に貝類等が付着してしまうと、海苔の養殖に影響を与えるだけでなく、この養殖用杭の撤去作業においても支障をきたす。具体的には、養殖用杭を撤去する際に、養殖用杭に貝類等が付着していると、養殖用杭の重量が大きくなり、撤去作業が重労働となり、また、付着した貝類の鋭利な部分で作業者が怪我をすることがある。
【０００４】
そこで、設置物に付着した貝類等を除去するために、設置物の表面に接触あるいは衝突するように遊嵌状態で取り付けられる、リング状、筒状等の形状を備える浮力体（付着貝類除去具）が提案されている。この浮力体は、潮流や海の干満等によって発生する水流や水位の変化に伴って、設置物の表面に接触あるいは衝突しながら上下動又は揺動等して、前記表面に付着した貝類等の水生生物を削ぎ落とす。
【０００５】
また、設置物に貝類等が付着するのを防ぐために、生物忌避剤（又は貝類忌避剤）を塗料等に混合して設置物の表面にコーティングする技術も提案されている。生物忌避剤としては、現在、金属塩系、シリコン樹脂系、含窒素系などの化合物が一般に使用されている。
【０００６】
特許文献１及び２は、一般的な付着貝類除去具の構成が開示された先行技術文献である。また、特許文献３は、生物忌避剤についての先行技術文献であり、生物忌避剤を設置物に塗布する方法等が示されている。
【０００７】
【特許文献１】
特開昭５９−６５１２８号公報
【特許文献２】
特開平１１−１６６２２２号公報
【特許文献３】
特開平５−３３１００８号公報
【０００８】
【発明が解決しようとする課題】
しかしながら、従来の付着貝類除去具には、以下のような解決すべき技術的課題があった。
【０００９】
まず、従来においては、設置物にのみ生物忌避剤処理が施されているが、この設置物に取り付けられる貝類付着防止具に対しては、貝類付着処理剤処理が全く施されていなかった。このため、貝類付着防止具側に貝類等が次第に付着、繁殖して、自在に動かなくなったり、防止具に形成された削ぎ落としのための突起形状が貝類で覆われたり等して、設置物表面に付着した貝類等を削り落とす機能が失われてしまうことがあった。更には、貝類等が付着した防止具が設置物へ接触することにより、設置物への貝類等の付着を逆に促進してしまう可能性もあった。
【００１０】
また、処理対象部材の表面にコーティングされた生物忌避剤は、接触や衝突が繰り返される過程において次第に削り落とされていくことになるため、徐々に部材表面の貝類等付着防止効果が消失してしまうという問題があった。
【００１１】
そして、従来から一般に使用されている金属塩系、含窒素系等の化合物からなる生物忌避剤が削り落とされ、水中に溶出すると、周辺環境を汚染する可能性があり、特に、設置物が漁業等の目的で使用されている場合では、魚介類の水産物や海苔などの海産物それ自体を汚染してしまうという可能性があった。
【００１２】
そこで、本発明は、貝類等の付着、繁殖することがない貝類付着防止具並びにこの防止具を用いた設置物に対する貝類付着防止方法を提供することを第一の目的とし、貝類付着防止具及び設置物における生物忌避剤の効果が持続されるように工夫した貝類付着防止具を提供することを第二の目的とし、貝類付着防止具の使用に際して、食品の安全性や環境面でも問題がないようにすることを第三の目的とする。
【００１３】
【課題を解決するための手段】
上記技術的課題を解決するため、本発明では、次の手段を採用する。
【００１４】
まず、海、湖、川のいずれかに設置される設置物に取り付けられ、設置物の表面に付着する貝類を削ぎ落とす作用を発揮する浮力体であって、該浮力体に生物忌避剤処理が施された貝類付着防止具（以下、「防止具」と略称する。）を提供する。
【００１５】
この防止具に、貝類等が忌避する性質を有する「生物忌避剤」の処理を施すことによって、防止具自体に貝類等が付着し、繁殖してしまうのを防止できる。これにより、防止具に要求される上下動あるいは揺動等の動作が貝類等によって邪魔されたり、制限されたりすることがなくなる。即ち、設置物に対する防止具の所望の接触動作や衝突動作を長期にわたり持続できるようになる。また、設置物に付着した貝類等の削ぎ落とし効果を増強させる目的から、防止具に形成される場合がある突起形状等が貝類で覆われてしまうこともないため、防止具の削ぎ落とし機能を長く保持できる。
【００１６】
本発明における防止具に対する生物忌避剤処理の手段には、塗布（コーティング）手段、被覆手段等を広く採用できる。即ち、本発明において、生物忌避剤の処理手段は特に限定されない。しかしながら、防止具の表層にのみ生物忌避剤処理がなされた場合では、設置物への接触や衝突の際に、比較的短時間で防止剤が削り落されてしまう。
【００１７】
このため本発明では、生物忌避剤を防止具の基材材料成分中に配合するように更に工夫する。この工夫によって、水中設置具との接触動作等によって防止具の表層が削れてしまった場合でも、生物忌避剤が含有されている表面が次々に新生されることになる。これにより、防止具の表面は、常に貝類が付着していない初期状態を維持できる。
【００１８】
更に、本発明では、防止具を設置物よりも摩耗し易い形状や材料で形成するように工夫する。これにより、防止具が設置物に接触、衝突等した際に、防止具側の表層を摩耗させるようにして、これにより、防止具において、生物忌避剤が含有されている表面を次々に新生させるようにする。
【００１９】
また、防止具の材料の中には生物忌避剤が含有するため、設置物と防止具が接触等した際に磨耗した防止具の中に含まれていた生物忌避剤が設置物に付着する。従って、防止具が設置物に生物忌避剤を供給する役目も果たすため、防止具における貝類等付着防止効果を持続させることができる。
【００２０】
ここで、本発明では、天然物由来の物質からなる生物忌避剤を積極的に採用することによって、周辺環境の汚染を防止し、魚介類等の水産物や海苔等の海産物の安全性を確保することができる。従って、このような天然物由来の物質からなる生物忌避剤で処理された防止具は、設置物が海産物養殖用又は水産物養殖用の支柱である場合に特に好適に採用できるものとなる。
【００２１】
天然物由来の生物忌避剤としては、唐辛子、わさび、からし、茶等の天然植物、それらから抽出したカプサイシン等の殺菌作用等を有する抽出物や当該抽出物と同等の殺菌作用を発揮する天然物、あるいは前記抽出物の有効成分の人工合成化学物質、火山灰等から得られるアロフェン等の無機物質等を採用できる。
【００２２】
次に、本発明で、設置物の表面に付着する貝類を削ぎ落とす浮力体に生物忌避剤処理が施されてなる貝類付着防止具を、設置物に取り付ける貝類付着防止方法を提供する。また、設置物は、生物忌避剤処理がなされている貝類付着防止方法を提供する。
【００２３】
この方法によれば、従来どおり貝類付着防止具を取り付ける設置物には生物忌避剤処理を施すとともに、防止具についても生物忌避剤処理を施すことによって、相互に生物忌避作用を発揮し、貝類等の設置物への付着を効果的に防ぐことができる。また、生物忌避剤の使用量を少なく抑えることができる。
【００２４】
更に、設置物に使用する生物忌避剤として天然物由来の物質からなるものを積極的に採用することで、周辺環境の汚染を防止し、魚介類等の水産物や海苔等の海産物の安全性を確保することができる貝類付着防止方法を提供する。
【００２５】
この方法は、設置物と防止具のそれぞれに天然物由来の生物忌避剤処理が施されているため、安全性の高い生物忌避剤を、少ない使用量に抑えながら、しかも貝類等付着防止効果を発揮することができる方法であり、特に、海苔養殖等の際の貝類付着防止方法に有効である。
【００２６】
なお、本願において、「設置物」とは、海産物や水産物を養殖する際等の漁業に用いたり、船舶が停泊する際に用いたりする等の目的で、水面付近や水面下に設置される支柱、杭、網、縄等を広く包含し、狭く解釈されない。
【００２７】
【発明の実施の形態】
以下、本発明の好適な実施形態について、添付図面を参照にしながら説明する。
【００２８】
図１は、貝類付着防止具の一実施形態の使用状態を示す図である。符号１は養殖用杭に代表される設置物を示している。符号２で示された防止具は、前記設置物１の形状等に応じて、水中設置具１に遊嵌できる形態、例えば、リング状や筒状等の形状を備えており、その内周面２１が設置物１の表面に接触可能なように取り付けられて使用される。
【００２９】
この防止具２は、水面付近又は水面下（符号Ｗ）を浮遊する浮力体であって、潮流や海の干満等によって上下動等し（図１中、符号Ｍで示す矢印参照）、この動作の過程で設置物１に接触あるいは衝突して、設置物１の表面に付着した貝類等の水生生物を削ぎ落とすという機能を発揮する。
【００３０】
本発明に係る防止具２の形態は、適宜採用可能であって限定されない。また、防止具２の材質についても、適宜採用可能であって限定されないが、例えば、海中や水中で腐食など変質してしまうものは好ましくない。また、水中に沈んでしまうほど比重の重いものは使用できない。
【００３１】
本発明に係る防止具２は、生物忌避剤処理が施されているので、この防止具２自体の表面に貝類等の水生生物が付着し、繁殖してしまうのを防止できる。特に、符号２１で示す内周面に付着した貝類等が繁殖して、該防止具２の上下動等の動作の障害になったり、制限されたりすることを有効に防止する。
【００３２】
また、設置物１に付着した貝類の削ぎ落とし効果を向上させる目的から防止具２の内側面２１に突起形状部２２を形成する場合がある。この場合では、防止具２に生物忌避剤処理を施すことによって、突起形状部２２を有する内周面２１が貝類等で覆われるのを防止できるので、突起形状部２２による削ぎ落とし機能を有効に保つことができる。
【００３３】
本発明に係る防止具２に対する生物忌避剤の処理方法については、特に限定されない。例えば、塗布（コーティング）手段、被覆手段等を広く採用できる。生物忌避剤を防止具２に塗布（コーティング）する場合には、該防止具２の表面全体に前記忌避剤が塗布されるようにする。
【００３４】
また、生物忌避剤を防止具２の基材材料成分中に配合する方法は、本発明では特に好適である。この方法を採用すると、水中設置具１に対する接触あるいは衝突等によって、防止具２の表面が削られたり、磨り減ったりした場合でも、防止具２の材料自体に生物忌避剤が配合されているので、防止具２の新たに露出してくる表面に貝類等が付着してしまうことがない。
【００３５】
さらには、設置物１に対する防止具２の接触あるいは衝突によって、設置物１に塗布等された生物忌避剤が剥がれ落ちてしまった場合でも、防止具２の新たに露出してくる表面には生物忌避剤が含まれているため、この生物忌避剤が水中に溶出する作用が継続的に発揮され、貝類等付着防止効果を設置物１に対して付与する。
【００３６】
防止具２を、設置物１よりも磨耗し易い形状や材料で形成すると、より好適である。この構成では、生物忌避剤が材料中に配合された防止具２の表面新生（削られて新しい表面が露出する現象）が起こり易くなる。また、防止具２の磨耗し削られた材料自体にも生物忌避剤が含有していることから、防止具２に近接する設置物１に対する貝類等の付着防止に好影響を与える。更に、防止具２が磨耗して、その表面が新生する際に、防止具２の基材材料中に含有していた生物忌避剤が設置物１の周辺に溶出して漂ったり、さらには該設置物１に付着したりする作用が継続する。
【００３７】
防止具２に塗布又は配合等する生物忌避剤は、金属原子含有忌避剤、含窒素化合物、チオール系化合物、ケイ素系化合物、天然物由来の化合物等、広く採用でき、限定されない。但し、環境負荷や食品の安全性などを考慮すると、天然物由来の物質又はシリコンオイルやシリコン樹脂等のケイ素系化合物からなる生物忌避剤がより好適である。特に、天然物由来の物質からなる生物忌避剤を積極的に採用することによって、周辺環境の汚染を防止し、食品の安全性を向上することができるので好ましい。天然物由来の生物忌避剤としては、唐辛子、わさび、からし、茶等の天然植物、それらから抽出したカプサイシン等の殺菌作用その他の生物忌避作用を有する抽出物や当該抽出物と同等の殺菌作用を発揮する天然物、あるいは前記抽出物の有効成分の人工合成化学物質、火山灰等から得られるアロフェン等の無機物質等を採用できる。
【００３８】
また、天然物由来の物質からなる生物忌避剤によって処理された防止具２は、海産物養殖用や水産物養殖用の支柱（水中設置具１）の貝類等の付着防止に特に好適である。特に、天然物由来の物質からなる生物忌避剤は、水産物や海苔等の海産物の安全性を確保することができるからである。
【００３９】
設置物１を生物忌避剤処理した上で、防止具２についても上記のとおり生物忌避剤処理を施すことによって、相互に生物忌避作用を発揮させ、貝類等の付着をより効果的に防止することができる。特に、設置物１を天然物質由来の物質で生物忌避剤処理し、防止具２についても天然物由来の物質で生物忌避剤処理すれば、水産物や海苔等の海産物の安全性を確保する観点からみて、有効である。
【００４０】
図２は、本発明に係る防止具の他の実施形態の使用状態を示す図である。符号３で示された防止具は、筒状の形態を有し、水中設置具１に可動自在に遊嵌されている。この防止具３も、図１に示した防止具２と同様に、水面付近または水面下（符号Ｗ参照）を潮流や干満等によって上下動等し（符号Ｍで示す矢印参照）、設置物１に付着した貝類等の水生生物を削ぎ落とす機能を発揮する。防止具３は生物忌避剤処理が施されているので、忌避剤の効果により、設置物１に貝類等が付着するのを防止する。なお、図１で示した防止具２と同様の突起形状を防止具３の内周壁面に形成することもできる。
【００４１】
図３は、図２に示した貝類付着防止具３の変形形態の縦断面図である。この防止具４の内周壁面４１に開口する孔４２が多数形成されている。孔４２の数や大きさは、特に限定されない。また、孔４２の深さや貫通しているかどうかについても限定されない。
【００４２】
孔４２は比較的小さいものにし、防止具４の強度を損なわない程度に多数の孔４２を開けることが望ましい。防止具４の表面に生物忌避剤を塗布（コーティング）すると、内周壁面４１の孔４２の中へも生物忌避剤が入り込み、塗布（コーティング）される。この構成では、設置物１に防止具４が接触や衝突等し、該防止具４の内周壁面４１のコーティング層が削れてしまった場合でも、孔４２には生物忌避剤が入り込んで、塗布（コーティング）されているため、生物忌避剤の効果を長期にわたり持続させることができる。
【００４３】
また、内周壁面４１の孔４２は、防止具４が潮流や干満等により上下動などする際に、孔４２自体が設置物１に付着する貝類を削り取る機能も発揮するので、貝類等の付着をより効果的に防ぐことができる。なお、防止具４の孔構造は、図１に示したリング状の防止具２についても採用できる。
【００４４】
以上のように、生物忌避剤処理が施された上記防止具２，３，４を、海、湖、川等に様々な目的で設置される支柱、杭、縄等の設置物１に遊嵌状態に取り付け、潮流や海の干満等によって設置物１の周囲で上下動あるいは揺動等させることによって、該設置物１に対する貝類等の水生生物の付着を防止する方法を実施できる。
【００４５】
【発明の効果】
本発明によって奏される効果は、以下のとおりである。
【００４６】
まず、貝類付着防止具を生物忌避剤処理することで、防止具自体に貝類等が付着し、又は繁殖することを防止することができる。それにより、防止具の上下動等の動作が貝類等によって制限されることがなくなり、設置物に貝類等が付着するのを効果的に防止できる。
【００４７】
貝類付着防止具の基材材料成分中に生物忌避剤を配合することにより、更には、貝類付着防止具の基材材料成分として磨耗しやすい材料を使用することにより、防止具に対する生物忌避効果を長時間持続させることができる。また、防止具が磨耗して、その表面が新生する際に、防止具の基材材料中に含有していた生物忌避剤が設置物の周辺に溶出して漂ったり、さらには該設置物に付着したりする作用が継続するため、設置物に対する生物忌避効果を持続させることができる。
【００４８】
天然物由来の生物忌避剤を積極的に利用することにより、食品の安全性や環境面の負荷を少なくすることができる。天然物由来の生物忌避剤によって処理された貝類付着防止具を、海産物養殖用や水産物養殖用の支柱や杭等に用いることにより、より安全性の高い海産物や水産物を提供することができる。
【００４９】
設置物の表面に生物忌避剤処理を施すとともに、該貝類付着防止具にも生物忌避剤処理を施すことにより、両部材の生物忌避機能が相互的に作用し、設置物に貝類等の水生生物が付着し、繁殖するのをより確実に防ぐことができ、少量の生物忌避剤の使用でも効果をあげることができる。
【図面の簡単な説明】
【図１】本発明に係る貝類付着防止具の一実施形態である、リング状の貝類防止具（２）の使用状態を示す図。
【図２】本発明に係る貝類付着防止具の他の実施形態である、筒状の貝類防止具（３）の使用状態を示す図。
【図３】図２に示した筒状の貝類付着防止具の変形形態（４）の縦断面図。
【符号の説明】
１  設置物
２、３、４  貝類付着防止具
【図１】
2004293155.tif 000003
【図２】
2004293155.tif 000004
【図３】
2004293155.tif 000005